(57)【要約】【課題】カバーを適切な位置に固定することができる便器装置を提供する。【解決手段】便器本体２と、便器本体２に内装される機器ユニット６とを備える。便器本体２が、機器ユニット６に取り付けられて外面部の一部を構成する上サイドカバー８０を有する。上サイドカバー８０が、機器ユニット６によって回動自在に支持される被支持部８２と、機器ユニット６に固定される被固定部８３とを有する。【選択図】図１
2015040409.tif 000002
【特許請求の範囲】
【請求項１】
便器本体と、前記便器本体に内装される内装部材とを備え、前記便器本体が、前記内装部材に取り付けられて外面部の一部を構成するカバーを有し、前記カバーが、前記内装部材によって回動自在に支持される被支持部と、前記内装部材に固定される被固定部とを有したことを特徴とする便器装置。
【請求項２】
前記カバーが前記便器本体の側面部を構成するサイドカバーであり、前記被固定部が前記カバーの外側からねじにより前記内装部材に固着されるものであり、前記被固定部が前記被支持部よりも後側に形成されたことを特徴とする請求項１に記載の便器装置。
【請求項３】
前記カバーが前記便器本体の側面部を構成するサイドカバーであり、前記被固定部に前記カバーに形成された上下に長い長孔が形成され、前記長孔に通されて前記内装部材にねじ込まれたねじによって前記被固定部が前記内装部材に固定されることを特徴とする請求項１又は請求項２に記載の便器装置。
【請求項４】
前記被支持部が前記便器本体の内側に向けて突出した軸部で構成され、前記内装部材に前記便器本体の外側に向かって開口する孔部が形成され、この孔部に前記軸部がその中心軸を中心にして回動自在に支持されたことを特徴とする請求項１乃至３のいずれか一項に記載の便器装置。
【発明の詳細な説明】
【技術分野】
【０００１】
本発明は、便器装置に関する。
【背景技術】
【０００２】
特許文献１には便器装置が開示されている。この便器装置の便器は、前パーツと後パーツで構成されている。前パーツは、便器内側の支持フレームに取り付けられている。後パーツは、トップカバー、リアカバー、上サイドカバー、及び下サイドカバーを有している。これらカバーは、支持フレームや便器内側のケースに取り付けられている。
【先行技術文献】
【特許文献】
【０００３】
【特許文献１】特開２００８−３０３７１２号公報
【発明の概要】
【発明が解決しようとする課題】
【０００４】
ところで、特許文献１の便器装置は、便器を構成するカバーや支持フレームの製造誤差等により、カバーの固定位置が僅かにずれる場合がある。この場合、当該カバーとその周囲部分との間に幅が不均一で部分的に大きくなった隙間が形成される等、便器装置の商品価値を低下させる恐れがある。
【０００５】
本発明は前記事情に鑑みてなされたものであって、カバーを適切な位置に固定することができる便器装置を提供することを課題とする。
【課題を解決するための手段】
【０００６】
上記課題を解決するために本発明の便器装置は、便器本体と、前記便器本体に内装される内装部材とを備え、前記便器本体が、前記内装部材に取り付けられて外面部の一部を構成するカバーを有し、前記カバーが、前記内装部材によって回動自在に支持される被支持部と、前記内装部材に固定される被固定部とを有したことを特徴とする。
【０００７】
また、前記カバーが前記便器本体の側面部を構成するサイドカバーであり、前記被固定部が前記カバーの外側からねじにより前記内装部材に固着されるものであり、前記被固定部が前記被支持部よりも後側に形成されることが好ましい。
【０００８】
また、前記カバーが前記便器本体の側面部を構成するサイドカバーであり、前記被固定部に前記カバーに形成された上下に長い長孔が形成され、前記長孔に通されて前記内装部材にねじ込まれたねじによって前記被固定部が前記内装部材に固定されることが好ましい。
【０００９】
また、前記被支持部が前記便器本体の内側に向けて突出した軸部で構成され、前記内装部材に前記便器本体の外側に向かって開口する孔部が形成され、この孔部に前記軸部がその中心軸を中心にして回動自在に支持されることが好ましい。
【発明の効果】
【００１０】
本発明の便器装置にあっては、被支持部によって支持されたカバーを回動し、このカバーの被固定部を内装部材に固定することで、カバーを適切な位置に調節して取り付けることができる。このため、カバーとその周囲部との間に幅が不均一で部分的に大きくなった隙間が形成されないようにできる等、商品価値を高めることができる。
【図面の簡単な説明】
【００１１】
【図１】本発明の実施形態の一例の便器装置における機器ケースと上サイドカバーを示す側面図である。
【図２】同上の便器装置の斜視図である。
【図３】同上の便器装置の下サイドカバーを取り外した状態を示す斜視図である。
【図４】同上の機器ケースのボスと下サイドカバーの軸部の連結箇所における断面図である。
【図５】参考例の便器装置を示し、（ａ）は機器ケースと上サイドカバーを示す分解斜視図であり、（ｂ）は下サイドカバーの被係止部の係止箇所における断面図である。
【図６】同上の便器装置の機器ケースとトップカバーを示す分解斜視図である。
【図７】同上の便器装置の機器ケースとリアカバーを示す分解斜視図である。
【図８】他の参考例の便器装置における機器ケースと上サイドカバーを示す側面図である。
【図９】さらに他の参考例の上サイドカバーの側面図である。
【発明を実施するための形態】
【００１２】
以下、添付図面に基づいて本発明の実施形態につき説明する。なお、以下の説明に用いられる方向は用を足す際に便座に着座した人から見た方向を基準とする。
【００１３】
図１〜図４には、本実施形態の一例の便器装置１が示されている。なお、本例の便器装置１は、後述する他例の便器装置１と一部同様の構成を有する。このため、図６や図７は他例の便器装置１を示すものであるが、以下ではこれらの図を用いて説明する場合がある。
【００１４】
本例の便器装置１は、図２に示される便器本体２、便座（不図示）、便蓋５、及び内装部材を備えている。
【００１５】
内装部材は便器本体２に内装される。本例の便器装置１は、図３に示されるように、内装部材として、支持フレーム３と、排水トラップ４を備えている。
【００１６】
支持フレーム３は金属製であり、便器本体２を支持する。支持フレーム３は、床に設置される下フレーム材３０と、下フレーム材３０の後部から立ち上がる後フレーム材３１を有している。下フレーム材３０の後部には、排水トラップ４が設置される。
【００１７】
便器装置１は、内装部材としてさらに機器ユニット６（図４参照）を備えている。機器ユニット６は、図１等に示される機器ケース６０内に、洗浄水供給装置、局部洗浄装置、温風乾燥装置、脱臭装置、制御回路等の機器をまとめて設けたものである。図示は省略するが、機器ケース６０は、後フレーム材３１上に載置され、後フレーム材３１にねじ止めされる。これにより、機器ユニット６は、支持フレーム３に取り付けられる。
【００１８】
図２に示されるように、便器形状を有する便器本体２は、前パーツ２０と後パーツ２１で構成されている。便器本体２の前部を構成する前パーツ２０は、図３に示されるように、スカート部２００、ボウル部２０１、及びリム部２０２で構成されている。
【００１９】
スカート部２００の水平断面形状は後方に開口する略Ｕ字状である。ボウル部２０１はスカート部２００の内側に位置している。ボウル部２０１には、洗浄水供給装置から洗浄用の水を供給できるようになっている。リム部２０２はボウル部２０１上に位置している。
【００２０】
ボウル部２０１、スカート部２００、及びリム部２０２は、合成樹脂製であり、溶着又は接着により一体化されている。ボウル部２０１の外側を覆うスカート部２００の下端部の内側には、下フレーム材３０の前部が嵌め込まれる。スカート部２００は、ねじ等の固着具を用いて下フレーム材３０の前部に取り付けられる。
【００２１】
ボウル部２０１の下部には、後方に突出する排水筒部（不図示）が形成されている。排水筒部は排水トラップ４に接続される。排水筒部は、排水トラップ４を介して床に設けた排水管に連通する。これにより、洗浄水供給装置からボウル部２０１に水が供給されたとき、ボウル部２０１内の水が排水筒部から排水トラップ４を介して排水されるようになっている。
【００２２】
便器本体２の後部を構成する後パーツ２１は、トップカバー７、サイドカバー８（図２参照）、及びリアカバー９で構成されている。トップカバー７、サイドカバー８、及びリアカバー９は合成樹脂製である。
【００２３】
後パーツ２１の上端部の外面部を構成するトップカバー７は、図６に示されるように、下側及び前側が開口した箱状に形成されており、上面部７０、両側面部７１、及び後面部７２を有している。トップカバー７は、機器ケース６０上に被せられ、機器ケース６０の上側を覆う。トップカバー７はその前端部が前パーツ２０のリム部２０２に係止された状態で、上方から複数のねじ（不図示）により機器ケース６０に対して着脱自在に取り付けられる。
【００２４】
トップカバー７の上面部７０において、前部及び後部の夫々の両側である計４か所には、下方に突出したねじ用筒部７００が形成されている。図示は省略するが、各ねじ用筒部７００の下端部には、ねじ用筒部７００の内周面から突出した内鍔部が形成されている。内鍔部の中央部には、上下に貫通する貫通孔が形成されている。これに対して、機器ケース６０の各ねじ用筒部７００に対応する箇所には、上方に突出した筒状部６００が形成されている。各筒状部６００は、軸方向が上下方向と平行であり、その内側には上方に開口したねじ孔が形成されている。
【００２５】
トップカバー７の各ねじ用筒部７００の下端部は、筒状部６００の上端部の外側に嵌め込まれる。そして、各ねじ用筒部７００に上方から挿入したねじを貫通孔を通して対応する筒状部６００のねじ孔にねじ込むことで、トップカバー７は機器ケース６０にねじ止めされる。トップカバー７には、図２に示されるように、便座や便蓋５が回動自在に取り付けられる。
【００２６】
図３に示されるように、後パーツ２１の後面部を構成するリアカバー９は、上端部が機器ケース６０に複数のねじ１２によって着脱自在に取り付けられる。また、リアカバー９の下端部は、支持フレーム３に複数のねじ（不図示）によって着脱自在に取り付けられる。このように取り付けられたリアカバー９は、その外面（後面）がトップカバー７の後面部７２の外面と面一になる。
【００２７】
図７に示されるように、リアカバー９の上端部の両側には、前後方向に貫通する孔９０が形成されている。これに対して、機器ケース６０の各孔９０に対応する箇所には、後方に開口したねじ穴６０１が形成されている。リアカバー９の上端部は、各孔９０に後方から挿入したねじ１２を対応するねじ穴６０１にねじ込むことで、機器ケース６０に取り付けられる。
【００２８】
図示は省略するが、リアカバー９の下端部には前方に突出した突片部が形成される。突片部には上下方向に貫通するねじ挿通孔が形成されている。リアカバー９の突片部は支持フレーム３の下フレーム材３０上に載置される。そして、ねじ挿通孔に上方からねじを挿入し、このねじを下フレーム材３０に形成したねじ孔にねじ込むことで、リアカバー９の下端部は支持フレーム３に固定される。
【００２９】
本例の便器装置１は、図２に示されるように、サイドカバー８として、上サイドカバー８０と下サイドカバー８１を備えている。上サイドカバー８０は、トップカバー７の両側面部７１の夫々の下方に配置され、スカート部２００の上部とリアカバー９の上部の間に位置する。上サイドカバー８０は、後パーツ２１の側面部の上部を構成する。
【００３０】
上サイドカバー８０は、機器ケース６０に取り付けられる。このように取り付けられた上サイドカバー８０は、その外面がトップカバー７の側面部７１、スカート部２００の側面部、及びリアカバー９の夫々の外面と面一になる。
【００３１】
図１に示されるように、上サイドカバー８０は、機器ケース６０によって回動自在に支持される被支持部８２と、機器ケース６０に固定される被固定部８３を有している。上サイドカバー８０は機器ケース６０に対して被支持部８２と被固定部８３の２点のみで固定される。
【００３２】
被支持部８２は、上サイドカバー８０の前部、詳しくは前端部の上下方向における略中央部に設けられている。被支持部８２は、図４に示されるように、上サイドカバー８０の内面から一体に突出した軸部８２０により構成されている。軸部８２０は軸方向を左右方向と平行にした円柱状に形成されており、軸方向から見て円形の外周面を有している。
【００３３】
機器ケース６０の両側面において対向する上サイドカバー８０の軸部８２０に対応する箇所には、軸部８２０を支持する支持部６１が設けられている。支持部６１は機器ケース６０から外側方に向かって一体に突出したボス６１０により構成されている。ボス６１０は軸方向を左右方向と平行にした円筒状に形成されており、その内側には軸方向から見て円形の内周面を有する孔部６１１が形成されている。
【００３４】
上サイドカバー８０の軸部８２０は、対応するボス６１０の孔部６１１に挿入され、ボス６１０により左右軸回り方向に回動可能に支持される。ここで、左右軸回り方向とは、回動軸方向が左右方向と平行であることを意味する。なお、軸部８２０は、外径が孔部６１１の内径よりも僅かに大きくて孔部６１１に圧入されるものであってもよい。また、軸部８２０は、外径が孔部６１１の内径よりもわずかに小さく、遊びをもって孔部６１１に挿入されるものであってもよい。
【００３５】
図１に示されるように、被固定部８３は、上サイドカバー８０の後部、詳しくは後端部の上部で構成されている。被固定部８３には、上サイドカバー８０に形成された左右方向に貫通する上下に長い長孔８４が形成されている。すなわち、長孔８４の孔縁部が被固定部８３になっている。図示は省略するが、機器ケース６０の両側面において、対向する上サイドカバー８０の長孔８４の長さ方向の略中央部に対応する箇所には、外側方に開口するねじ孔が形成されている。
【００３６】
上サイドカバー８０の長孔８４には、外側方からねじ１０が挿入され、このねじ１０は機器ケース６０の前記ねじ孔にねじ込まれる。これにより、上サイドカバー８０の被固定部８３（長孔８４の孔縁部）は、ねじ１０の頭部と機器ケース６０によって挟み込まれて機器ケース６０に対して固定される。
【００３７】
ねじ１０を上サイドカバー８０の長孔８４の長さ方向の略中央部に位置させた状態で、ねじ１０により被固定部８３を機器ケース６０に固着したとき、上サイドカバー８０は、図１に実線で示されるように水平になる。
【００３８】
上サイドカバー８０は、ねじ１０を外し、軸部８２０を孔部６１１から引き抜くことで、機器ケース６０から取り外すことができる。
【００３９】
上サイドカバー８０は、ねじ１０のねじ孔に対するねじ込みを緩めることで、ボス６１０で支持された軸部８２０を中心にして左右軸回りに回動可能にすることができる。このため、上サイドカバー８０は、図１の二点鎖線で示されるように、後下がりとなるよう傾けたり、後上がりとなるよう傾けたりすることができる。また、この上サイドカバー８０の水平方向に対する角度調節の後には、ねじ１０を機器ケース６０のねじ孔にしっかりとねじ込むことで、上サイドカバー８０を前記調節後の適切な角度で固定することができる。
【００４０】
下サイドカバー８１は、図２に示されるように、各上サイドカバー８０の下方に配置され、スカート部２００の下部とリアカバー９の下部の間に位置する。下サイドカバー８１は、後パーツ２１の側面部の下部を構成し、排水トラップ４を覆う。
【００４１】
下サイドカバー８１は、上端部が上サイドカバー８０に着脱自在に係止される。また、下サイドカバー８１は、後端部が磁石によりリアカバー９に着脱自在に取り付けられ、下端部が磁石により下フレーム材３０に着脱自在に取り付けられる。このように取付けられた下サイドカバー８１の外面は、スカート部２００の側面部、上サイドカバー８０、及びリアカバー９の夫々の外面と面一になる。また、下サイドカバー８１は、前記上サイドカバー８０に対する係止、及び前記磁石によるリアカバー９及び下フレーム材３０に対する固定を解除することで、取り外すことができる。これにより、便器本体２の内部の保守・点検が可能となる。なお、下サイドカバー８１の固定手段は前記に限られるものではない。例えば下サイドカバー８１は、上サイドカバー８０に対して固定されなくてもよい。また、下サイドカバー８１は、支持フレーム３に対してのみ固定されてもよい。
【００４２】
以上説明した本例の便器装置１は、便器本体２と、便器本体２に内装される内装部材とを備え、便器本体２が、内装部材に取り付けられて外面部の一部を構成するカバーを有している。なお、本例では前記カバーを上サイドカバー８０とし、前記内装部材を機器ユニット６としている。そして、カバーが、内装部材によって回動自在に支持される被支持部８２と、内装部材に固定される被固定部８３とを有している。このため、便器装置１の施工者等は、カバーを内装部材に取り付けるときや取付けた後において、カバーを内装部材で支持された被支持部８２を中心に回動してその向きを微調整し、この後、被固定部８３を内装部材に固定することでカバーを適切な位置に固定できる。従って、便器装置１の商品価値の低下を抑制できる。例えば、製造誤差等により、上サイドカバー８０が周囲部分に対して適切な位置に固定されないと、上サイドカバー８０と下サイドカバー８１の間には、幅が不均一で部分的に大きくなった隙間が形成される恐れがある。また、上サイドカバー８０とリアカバー９の間や、上サイドカバー８０とスカート部２００の間にも、幅が不均一で部分的に大きくなった隙間が形成される恐れがある。しかし、本例では前述のようにカバーを位置調節して適切な位置に固定できるので、幅が不均一で部分的に大きくなった隙間が形成されないようにすることができる。
【００４３】
また、本例の便器装置１は、カバーが便器本体２の側面部を構成するサイドカバー８であり、被固定部８３がカバーの外側からねじ１０により内装部材に固着される。この場合、本例のように、被固定部８３が被支持部８２よりも後側に形成されることが好ましい。このようにすることで、被固定部８３を内装部材に固定するためのねじ１０が便器装置１を利用する利用者から見え難くなり、便器装置１の外観を向上できる。
【００４４】
また、本例のように、被固定部８３に上下に長い長孔８４が形成され、長孔８４に通されて内装部材にねじ込まれたねじ１０によって被固定部８３が内装部材に固定されることが好ましい。この場合、被支持部８２において回動自在に支持されたカバーを簡単な構成により適切な位置に固定することができる。
【００４５】
また、本例では、被支持部８２がカバーから便器本体２の内側に向けて突出した軸部８２０で構成され、内装部材に便器本体２の外側に向かって開口する孔部６１１が形成されている。そして、孔部６１１に軸部８２０がその中心軸を中心にして回動自在に支持されることが好ましい。この場合、簡易構成により、カバーを内装部材に対して回動自在に支持することができる。
【００４６】
なお、本例では、便器本体２の側面部の上部を構成する上サイドカバー８０を、内装部材に対して被支持部８２と被固定部８３で固定されるようにしている。しかし、便器本体２のその他の外面部の一部を構成するカバーを内装部材に対して被支持部８２と被固定部８３で固定されるようにしてもよい。例えば、下サイドカバー８１やリアカバー９を被支持部８２と被固定部８３で内装部材に固定されるようにしても構わない。
【００４７】
また、カバーの被支持部８２を内装部材によって回動自在に支持する構造や、カバーの被固定部８３を内装部材に固定する構造も、本例に限られるものではない。
【００４８】
次に参考例の便器装置１について説明する。なお、以下の説明では図１に示される一例の便器装置１と同一の構成については同一の番号を付与し、重複する説明は省略する。
【００４９】
図５〜図７に示される本例の便器装置１における上サイドカバー８０は、機器ケース６０に対する固定手段を構成する被支持部８２及び被固定部８３に代えて、機器ケース６０に係止される被係止部８５と、機器ケース６０に固着される被固着部８６を有している。
【００５０】
被係止部８５は、図５（ａ）に示されるように、上サイドカバー８０の上部、詳しくは上端部の前部と後部の二箇所に設けられている。被係止部８５は、上サイドカバー８０の内面から内側方に向かって一体に突出している。図５（ｂ）に示されるように、被係止部８５の突出端部には、上方に突出した爪部８５０が形成されている。
【００５１】
機器ケース６０の両側面において対向する上サイドカバー８０の各被係止部８５に対応する箇所には、被係止部８５が係止される係止部６２が設けられている。係止部６２は、外側方に開口する凹所６２０で構成されている。凹所６２０の上面部の一部は、凹所６２０の奥部の上端部から外側方に向けて突出した突出片部６２１により構成されている。突出片部６２１は突端部が自由端となっており、弾性変形可能である。突出片部６２１の突端部には、下方に突出した突起６２２が形成されている。上サイドカバー８０の各被係止部８５は凹所６２０に外側方から挿入される。これにより、爪部８５０が突起６２２に係止されて、上サイドカバー８０の外側方への移動が規制される。
【００５２】
図５（ａ）に示されるように、被固着部８６は、上サイドカバー８０の下部、詳しくは下端部の前後方向における中央部に設けられている。被固着部８６は、上サイドカバー８０の下端面から下方に突出した突部８６０により構成されている。突部８６０には左右方向に貫通するねじ用孔８６１が設けられている。機器ケース６０の両側面において対向する上サイドカバー８０のねじ用孔８６１に対応する箇所には、被固着部８６が固着されるる固着部としてねじ孔６０２が設けられている。被固着部８６のねじ用孔８６１には、外側方からねじ（不図示）が挿入され、ねじは対応するねじ孔６０２にねじ込まれる。これにより、上サイドカバー８０の被固着部８６は、機器ケース６０にねじ止めされる。なお、突部８６０及びねじ用孔８６１に挿入されるねじは、上サイドカバー８０の外面よりも内側に位置し、下サイドカバー８１の上端部によって覆い隠される。
【００５３】
本例の便器装置１は、便器本体２と、便器本体２に内装される内装部材とを備え、便器本体２が、内装部材に取り付けられて外面部の一部を構成するカバーを有している。なお、本例では前記カバーを上サイドカバー８０とし、前記内装部材を機器ユニット６としている。そして、カバーが、機器ケース６０に係止される被係止部８５と、機器ケース６０に固着される被固着部８６を有している。このため、カバーの取付けにあたっては、内装部材に被係止部８５を係止して位置決めした状態で被固着部８６を内装部材に固着することができ、カバーを内装部材に簡単に取り付けることができる。
【００５４】
なお、本例では、便器本体２の側面部の上部を構成する上サイドカバー８０を内装部材に対して被係止部８５と被固着部８６で固定されるようにしている。しかし、便器本体２のその他の外面部の一部を構成するカバーを内装部材に対して被係止部８５と被固着部８６で固定されるようにしてもよい。
【００５５】
次にさらに他の参考例の便器装置１について説明する。なお、以下の説明では図５に示される例の便器装置１と同一の構成については同一の番号を付与し、重複する説明は省略する。
【００５６】
図８に示される本例の上サイドカバー８０は、被係止部８５を有していない。すなわち、上サイドカバー８０は、被固着部８６の１点でのみ固定されている。この上サイドカバー８０にあっては、被固着部８６を内装部材に固着するだけで簡単に取り付けることができる。
【００５７】
また、被固着部８６を内装部材に固着するためのねじ１１のねじ孔６０２に対するねじ込みを緩めることで、ねじ１１を中心にして上サイドカバー８０を左右軸回りに回動できる。このため、便器装置１の施工者等は、カバーを内装部材に取り付けるときや取付けた後において、カバーをねじ１１に対して回動してその向きを微調整し、この後、ねじ１１をねじ孔６０２にしっかりとねじ込むことでカバーを適切な位置に固定できる。
【００５８】
次にさらに他の参考例の便器装置１について説明する。なお、以下の説明では図１に示される一例の便器装置１と同一の構成については同一の番号を付与し、重複する説明は省略する。
【００５９】
図９に示される本例の上サイドカバー８０は、被支持部８２を有しておらず、被固定部８３を複数有している。被固定部８３は、上サイドカバー８０の後部と前部の二箇所に設けられている。
【００６０】
後側の被固定部８３は、図１に示される一例の上サイドカバー８０における被固定部８３と同じである。前側の被固定部８３は、上サイドカバー８０の前端部の下端面から下方に突出した突出部８７によって構成されている。突出部８７には、前側の被固定部８３と同様、上下に長く左右方向に貫通する長孔８４が形成されている。また、図示は省略するが、機器ケース６０の両側面において、対向する上サイドカバー８０の各長孔８４の長さ方向の略中央部に対応する箇所には、外側方に開口するねじ孔が形成されている。
【００６１】
上サイドカバー８０の各長孔８４には、外側方からねじが挿入され、ねじは対応するねじ孔にねじ込まれる。これにより、上サイドカバー８０の各被固定部８３は、ねじの頭部と機器ケース６０によって挟み込まれて機器ケース６０に対して固定される。
【００６２】
各ねじを長孔８４の長さ方向の略中央部に位置させた状態で、これらねじにより被固定部８３を機器ケース６０に固着したとき、上サイドカバー８０は水平になる。これらねじのねじ孔に対するねじ込みを緩めたとき、上サイドカバー８０の前部と後部の夫々は、各長孔８４におけるねじの上下位置を変更することで、上下に移動可能となる。従って、上サイドカバー８０は、上下方向の位置を調節することができる。そして、このように上下位置を調節した後は、各ねじをねじ孔にしっかりとねじ込むことで、上サイドカバーを前記調節後の位置で固定することができる。
【００６３】
本例の便器装置１は、便器本体２と、便器本体２に内装される内装部材とを備え、便器本体２が、内装部材に取り付けられて外面部の一部を構成するカバーを有している。なお、本例では前記カバーを上サイドカバー８０とし、前記内装部材を機器ユニット６としている。そして、カバーが、内装部材に対して位置を変更して固定可能な被固定部８３を複数有している。このため、カバーを内装部材に取り付けるときや取付けた後において、カバーの夫々の被固定部８３が固定される位置を変更して、カバーを適切な位置に固定できる。
【００６４】
なお、本例の両被固定部８３は上下方向に離れているため、各長孔８４に通したねじのねじ孔に対するねじ込みが緩んだ状態にあるときには、上サイドカバー８０は一方のねじを中心にして僅かに回動できるだけである。しかし、例えば前後両側の長孔８４を上下方向において近づけて形成することで、上サイドカバー８０を前側及び後側のねじを中心にして左右軸回りに回動できるようにしても構わない。
【００６５】
また、本例では、便器本体２の側面部の上部を構成する上サイドカバー８０を内装部材に対して複数の被固定部８３で固定されるようにしている。しかし、便器本体２のその他の外面部の一部を構成するカバーを内装部材に対して複数の被固定部８３で固定されるようにしてもよい。また、図１に示される一例の便器装置１におけるサイドカバー８には、被支持部８２に加えて、本例のように複数の被固定部８３を設けても構わない。
【符号の説明】
【００６６】
２  便器本体
６  機器ユニット（内装部材）
８  サイドカバー
１０  ねじ
８０  上サイドカバー
８２  被支持部
８３  被固定部
８４  長孔
６１１  孔部
８２０  軸部
【図１】
2015040409.tif 000003
【図２】
2015040409.tif 000004
【図３】
2015040409.tif 000005
【図４】
2015040409.tif 000006
【図５】
2015040409.tif 000007
【図６】
2015040409.tif 000008
【図７】
2015040409.tif 000009
【図８】
2015040409.tif 000010
【図９】
2015040409.tif 000011